(57)【要約】【課題】デッキ面において、極めて簡単に照明具を設置することができるとともに、デッキ材の耐荷重強度を大幅に向上させることができる照明具付きデッキ材用連結材、及び、当該連結材を用いて構築した、照明具を付帯したデッキ構造体を提供する。【解決手段】デッキ材１１の各側縁１２に大溝１３及び小溝１４ａ，１４ｂをそれぞれ形成し、連結材２１の挟持部２２に、下側サポート部２３から上方へ向かって所定幅で突出するセンター部２４を形成し、側方へ向かって突出する大突条２５、小突条２６，２７を、センター部２４の左右両側にそれぞれ形成し、小突条２６，２７を、デッキ材１１の側縁１２の小溝１４ａ，１４ｂ内にそれぞれ嵌合し、奥まで突き当たるように構成し、内部に発光手段を配置して、頂部が発光するように構成した。【選択図】図３
2016014279.tif 000002
【特許請求の範囲】
【請求項１】
所定間隔をおいて配置された複数本の根太材の上に、多数のデッキ材が、根太材の長手方向と交差する向きで所定幅の隙間をおいて並列配置されるとともに根太材上に固定され、隣り合う二つの根太材の間の位置において、隣接するデッキ材の側縁同士が連結材によって連結されてなるデッキ構造体において、
デッキ材は、各側縁にそれぞれ少なくとも１条ずつ溝が形成され、
連結材は、装着時において、隣接するデッキ材の側縁間に挟持される挟持部を有し、
連結材の挟持部は、上下方向へ所定幅で延在するセンター部を有するとともに、センター部から側方へ向かって突出する突条を、左右両側にそれぞれ少なくとも１条ずつ有し、
連結材の挟持部の突条は、装着時において、デッキ材の側縁の溝内にそれぞれ嵌合するように構成され、
連結材は、内部に発光手段が配置されており、給電ケーブルを介して電力を供給することにより頂部が発光するように構成されていることを特徴とするデッキ構造体。
【請求項２】
デッキ材は、各側縁にそれぞれ少なくとも２条ずつ、かつ、デッキ材の厚さ寸法の中間位置を基準として、その上方及び下方に少なくとも１条ずつ溝が形成され、
連結材の挟持部は、上下方向へ所定幅で延在するセンター部を有するとともに、センター部から側方へ向かって突出する突条を、左右両側にそれぞれ少なくとも２条ずつ有し、
デッキ材の側縁の溝のうち、デッキ材の厚さ寸法の中間位置を基準として、その上方及び下方に位置する溝に嵌合する連結材の挟持部の突条が、装着時において、当該溝の奥まで突き当たるように構成されていることを特徴とする、請求項１に記載のデッキ構造体。
【請求項３】
デッキ材の各側縁に、１条の大溝、及び、少なくとも２条の小溝が形成され、
大溝は、デッキ材の厚さ方向の中間位置に形成され、小溝は、大溝の上方及び下方にそれぞれ少なくとも１条ずつ形成され、
連結材の挟持部に、デッキ材の側縁の大溝に嵌合する大突条、及び、小溝に嵌合する小突条が形成されていることを特徴とする請求項１又は請求項２に記載のデッキ構造体。
【請求項４】
連結材のセンター部の左右の厚さ寸法が、連結材の左右両側のデッキ材の側縁同士の間隔寸法と一致していることを特徴とする請求項１に記載のデッキ構造体。
【請求項５】
連結材は、装着時において、隣接するデッキ材の側縁間に挟持される挟持部と、デッキ材の下面に当接する下側サポート部とによって構成され、
連結材の下側サポート部は、センター部の下方において左右の側方へ向かってそれぞれ突出し、装着時において各デッキ材の下面に当接して密着する当接面をそれぞれ有する左右のサポートによって構成されていることを特徴とする、請求項１〜３のいずれかに記載のデッキ構造体。
【請求項６】
挟持部を有し、
挟持部は、上下方向へ所定幅で延在するセンター部を有するとともに、センター部から側方へ向かって突出する突条を、左右両側にそれぞれ少なくとも１条ずつ有し、
内部に発光手段が配置され、給電ケーブルを介して電力を供給することにより頂部が発光するように構成されていることを特徴とする照明具付きデッキ材用連結材。
【請求項７】
挟持部と下側サポート部とによって構成され、
下側サポート部は、センター部の下方において左右の側方へ向かってそれぞれ突出し、装着時において各デッキ材の下面に当接して密着する当接面をそれぞれ有する左右のサポートによって構成されていることを特徴とする請求項６に記載の照明具付きデッキ材用連結材。
【発明の詳細な説明】
【技術分野】
【０００１】
本発明は、間隔をおいて平行に配置される根太材上に、根太材の長手方向と交差する向きで多数のデッキ材（床材、フロアー材を含む）を並列配置して構成されるデッキ構造体、及び、それらのデッキ材の隣接する側縁同士を連結することにより、各デッキ材の耐荷重強度を大幅に向上させることができるデッキ材用連結材に関し、特に、照明具を付帯したデッキ構造体、及び、照明具付きデッキ材用連結材に関する。
【背景技術】
【０００２】
デッキ構造体は、通常、所定の間隔をおいて配置した束石、或いは、その他の基礎の上に（又は、その上に配置した大引材の上に）、複数本の根太材を平行に配置し、更にその上に、根太材の長手方向と交差する向きで多数のデッキ材を並列配置し、各デッキ材を根太材に対して固定することによって構築されている。
【先行技術文献】
【特許文献】
【０００３】
【特許文献１】特開２０１１−２０８３５５号公報
【発明の概要】
【発明が解決しようとする課題】
【０００４】
デッキ構造体においては、夜間照明、歩行者の案内或いは誘導、又は、装飾等を目的として、デッキ構成面に照明具が設置されることがある。デッキ構成面に照明具を設置する具体的な方法としては、例えば特許文献１に示されているように、デッキ材に挿入孔を形成し、この挿入孔に、取付具を介して照明具を挿入し、固定するという方法等が知られている。
【０００５】
しかしながら、照明具を設置するために、デッキ材にいちいち挿入孔を形成しなければならないとすると、非常に手間がかかり、作業時の負担が大きく、また、一旦照明具を設置した後において、その設置位置を変更することは非常に難しいという問題がある。また、デッキ材に挿入孔を形成して照明具を配置した場合、歩行者、自転車、或いは、自動車の通行時において、デッキ構成面上に突出している照明具の取付枠や上面カバーが破損或いは変形するおそれがあるほか、歩行者が躓いたり、転んで怪我をしてしまうという可能性もある。
【０００６】
本発明は、上記のような従来技術の問題を解決しようとするものであって、デッキ構成面において、極めて簡単に、かつ、デッキ構成面上に突出させることなく照明具を設置することができるとともに、デッキ材の耐荷重強度を大幅に向上させることができる照明具付きデッキ材用連結材、及び、当該連結材を用いて構築した、照明具を付帯したデッキ構造体を提供することを目的とする。
【課題を解決するための手段】
【０００７】
本発明に係るデッキ構造体（照明具を付帯したデッキ構造体）は、所定間隔をおいて配置された複数本の根太材の上に、多数のデッキ材が、根太材の長手方向と交差する向きで所定幅の隙間をおいて並列配置されるとともに根太材上に固定され、隣り合う二つの根太材の間の位置において、隣接するデッキ材の側縁同士が連結材によって連結され、デッキ材は、各側縁にそれぞれ少なくとも１条ずつ溝が形成され、連結材は、装着時において、隣接するデッキ材の側縁間に挟持される挟持部を有し、連結材の挟持部は、上下方向へ所定幅で延在するセンター部を有するとともに、センター部から側方へ向かって突出する突条を、左右両側にそれぞれ少なくとも１条ずつ有し、連結材の挟持部の突条は、装着時において、デッキ材の側縁の溝内にそれぞれ嵌合するように構成され、連結材は、内部に発光手段（ＬＥＤ等）が配置されており、給電ケーブルを介して電力を供給することにより頂部が発光するように構成されていることを特徴としている。
【０００８】
尚、デッキ材は、各側縁にそれぞれ少なくとも２条ずつ、かつ、デッキ材の厚さ寸法の中間位置を基準として、その上方及び下方に少なくとも１条ずつ溝が形成され、連結材の挟持部は、上下方向へ所定幅で延在するセンター部を有するとともに、センター部から側方へ向かって突出する突条を、左右両側にそれぞれ少なくとも２条ずつ有し、デッキ材の側縁の溝のうち、デッキ材の厚さ寸法の中間位置を基準として、その上方及び下方に位置する溝に嵌合する連結材の挟持部の突条が、装着時において、当該溝の奥まで突き当たるように構成されていることが好ましく、また、デッキ材の各側縁に、１条の大溝、及び、少なくとも２条の小溝が形成され、大溝は、デッキ材の厚さ方向の中間位置に形成され、小溝は、大溝の上方及び下方にそれぞれ少なくとも１条ずつ形成され、連結材の挟持部に、デッキ材の側縁の大溝に嵌合する大突条、及び、小溝に嵌合する小突条が形成されていることが好ましい。また、連結材のセンター部の左右の厚さ寸法が、連結材の左右両側のデッキ材の側縁同士の間隔寸法と一致していることが好ましい。
【０００９】
更に、連結材は、装着時において、隣接するデッキ材の側縁間に挟持される挟持部と、デッキ材の下面に当接する下側サポート部とによって構成され、連結材の下側サポート部は、センター部の下方において左右の側方へ向かってそれぞれ突出し、装着時において各デッキ材の下面に当接して密着する当接面をそれぞれ有する左右のサポートによって構成されていることが好ましい。
【００１０】
本発明に係る照明具付きデッキ材用連結材は、挟持部を有し、挟持部は、上下方向へ所定幅で延在するセンター部を有するとともに、センター部から側方へ向かって突出する突条を、左右両側にそれぞれ少なくとも１条ずつ有し、内部に発光手段が配置され、給電ケーブルを介して電力を供給することにより頂部が発光するように構成されていることを特徴としている。
【００１１】
尚、このデッキ材用連結材は、挟持部のほかに下側サポート部を有していることが好ましく、この下側サポート部は、センター部の下方において左右の側方へ向かってそれぞれ突出し、装着時において各デッキ材の下面に当接して密着する当接面をそれぞれ有する左右のサポートによって構成されていることが好ましい。
【発明の効果】
【００１２】
本発明のデッキ構造体においては、隣接するデッキ材の間に、照明手段が内蔵された連結材を配置することにより、デッキ構成面の上方へ光を照射して、デッキ構成面の照明を行うことができる。連結材は、根太材の間のいずれの位置においても自由に配置することができる。従って、夜間照明、歩行者の案内或いは誘導、又は、装飾等の目的に応じて、様々なデザインのデッキ面照明を構成することができる。しかも、従来方法のようにデッキ構成面に挿入孔を形成する必要がなく、デッキ材の側縁の間に挟持させるだけで固定することができるため、極めて簡単に照明具を設置することができるほか、一旦設置した後においても、簡単に位置変更を行うことができる。
【００１３】
また、デッキ材に挿入孔を形成して照明具を配置した場合、歩行者、自転車、或いは、自動車の通行時において、デッキ構成面に露出している照明具の本体又はケースが破損或いは変形するおそれがあるほか、歩行者が躓いたり、転んで怪我をしてしまうという可能性もあるが、本発明のデッキ構造体においては、デッキ構成面よりも上方へ突出させることなく照明具を配置することができるため、照明具本体又はケースの破損、変形といった問題を好適に回避することができるほか、歩行者の躓き、転倒という問題も好適に回避することができる。
【００１４】
更に、隣接するデッキ材の側縁同士が、連結材によって連結されることにより、一つのデッキ材或いは隣接する二つのデッキ材の目地部（連結部）に荷重が集中的に掛かった場合でも、一つのデッキ材だけが沈み込んだり、或いは、隣接するデッキ材同士が相対的に傾斜しない状態が維持され、一つのデッキ材或いは目地部に掛かった荷重が、隣接するデッキ材へ効果的に伝達、分散されることになり、その結果、集中荷重や衝撃荷重に対する強度（耐荷重強度）の飛躍的な向上が期待できる。
【図面の簡単な説明】
【００１５】
【図１】図１は、本発明に係るデッキ構造体１の部分的な平面図である。
【図２】図２は、図１に示す連結材２１の正面図である。
【図３】図３は、図１に示すデッキ材１１の側縁１２付近の断面、及び、装着前の連結材２１を示す図である。
【図４】図４は、図１に示すデッキ材１１の側縁１２間に連結材２１を装着した状態を示す図である。
【図５】図５は、図１に示す連結材２１の分解斜視図である。
【図６】図６は、図５に示すベース４１ａ，４１ｂの接合状態を示す図である。
【図７】図７は、根太材の上に所定幅の隙間１５を空けて並列配置した状態の従来のデッキ材８１，８２の断面図である。
【図８】図８は、本発明に係るデッキ構造体１において使用される連結材２１によって側縁同士が連結されたデッキ材１１の断面図である。
【図９】図９は、根太材の上に所定幅の隙間１５を空けて並列配置した状態の従来のデッキ材８１，８２の断面図である。
【図１０】図１０は、本発明に係るデッキ構造体１において使用される連結材２１によって側縁同士が連結されたデッキ材１１の断面図である。
【図１１】図１１は、本発明に係るデッキ構造体１において使用される連結材２１の他の構成例を示す図である。
【発明を実施するための形態】
【００１６】
以下、添付図面に沿って本発明の実施形態について説明する。図１は、本発明に係るデッキ構造体１（照明具を付帯したデッキ構造体）の部分的な平面図である。このデッキ構造体１においては、所定間隔をおいて平行に配置された根太材２０の上に、デッキ材１１が、根太材２０の長手方向と直交する向きで並列配置され、根太材２０上に固定されている。
【００１７】
隣接するデッキ材１１の間には、所定幅（例えば５ｍｍ）の隙間１５が形成されており、デッキ構成面上から、雨水、砂、その他の塵埃等が、隙間１５を介してデッキ構成面下側へ落下し、デッキ構成面上に滞留しないようになっている。また、隣接するデッキ材１１は、側縁１２同士が、照明具付きデッキ材用連結材２１（以下、単に「連結材２１」と言う）によって連結されている。尚、連結材２１は、隣り合う二つの根太材２０，２０の間の位置に配置されている。
【００１８】
図２は、図１に示す連結材２１の正面図である。図示されているように、この連結材２１は、デッキ材１１（図１参照）への装着時において、隣接するデッキ材１１の側縁１２間に挟持される挟持部２２と、デッキ材１１の下面に当接する下側サポート部２３とを有している。尚、この下側サポート部２３は、省略することもできる。即ち、挟持部２２のみによって構成される連結材を使用することもできる。但し、下側サポート部２３を有する連結材２１を用いた場合、挟持部２２のみによって構成される連結材を使用した場合よりも、デッキ全体の強度アップを図ることができ、かつ、連結材２１は、ＬＥＤ照明の強度アップにも寄与する。
【００１９】
図３は、デッキ材１１の側縁１２付近の断面、及び、装着前の連結材２１を示す図であり、図４は、それらの装着状態を示す図である。図３に示すように、本実施形態においては、デッキ構造体を構成するデッキ材１１として、側縁１２に、一つの大溝１３、及び、二つの小溝１４ａ，１４ｂが形成されているものが用いられている。大溝１３は、デッキ材１１の厚さ方向の中間位置において、デッキ材１１の厚さ寸法の１／１０〜１／３（本実施形態においては約１／４）の大きさに形成されており、小溝１４ａは大溝１３の上方に、小溝１４ｂは大溝１３の下方にそれぞれ形成されている。
【００２０】
一方、連結材２１は、上述の通り、挟持部２２と下側サポート部２３とを有しており、挟持部２２は、下側サポート部２３の中央から上方へ向かって所定幅で突出するセンター部２４と、センター部２４のほぼ中間の高さ位置から左右の側方へ向かってそれぞれ突出する大突条２５と、大突条２５の上方において、左右の側方へ向かってそれぞれ突出する小突条２６と、大突条２５の下方において、左右の側方へ向かってそれぞれ突出する小突条２７とによって構成されている。下側サポート部２３は、センター部２４の下方において、左右の側方へ向かってそれぞれ突出するサポート２９ａ，２９ｂによって構成されている。尚、サポート２９ａ，２９ｂは、連結材２１のデッキ材１１への装着時において、デッキ材１１の下面に当接する面（当接面２８）をそれぞれ有している。
【００２１】
デッキ材１１への装着時において、連結材２１の大突条２５、及び、小突条２６，２７は、デッキ材１１の側縁１２に形成されている大溝１３、及び、小溝１４ａ，１４ｂ内にそれぞれ進入し、嵌合するような位置及び大きさに形成されている（図４参照）。また、上下の小突条２６，２７は、各先端がそれぞれ小溝１４ａ，１４ｂの奥まで突き当たるような大きさ及び形状となっている。また、連結材２１のサポート２９ａ，２９ｂは、大突条２５、及び、小突条２６，２７が、大溝１３、及び、小溝１４ａ，１４ｂ内にそれぞれ進入し、嵌合した状態において、左右の当接面２８がそれぞれデッキ材１１の下面に密着するような構成となっている。
【００２２】
また、連結材２１は、内部に発光手段（ＬＥＤ、発光ダイオード）が配置されており、給電ケーブルを介して電力を供給することにより頂部が発光するようになっており、デッキ構成面における照明機能を有している。この点について具体的に説明すると、図５（連結材２１の分解斜視図）に示すように、連結材２１は、左右一対のベース４１ａ，４１ｂ、ＬＥＤ基盤４２、上部カバー４３、前後一対の遮光カバー４４ａ，４４ｂ、オスメス一対のケーブルコネクタ４５ａ，４５ｂとによって構成されている。遮光カバー４４ａ，４４ｂは、発光部の大きさを調整したり、デッキ目地サイド５７（図５参照）からの光漏れを防止する。
【００２３】
左右一対のベース４１ａ，４１ｂは、それぞれ垂直接合面４６ａ，４６ｂを有しており、垂直接合面４６ａ，４６ｂには、接合用突起４７と接合用孔４８がそれぞれ形成されており、垂直接合面４６ａ，４６ｂを向かい合わせ、ベース４１ａの接合用突起（図示せず）をベース４１ｂの接合用孔４８内へ嵌合させ、ベース４１ｂの接合用突起４７をベース４１ａの接合用孔（図示せず）内へ嵌合させることにより一体化できるようになっている。
【００２４】
ベース４１ａ，４１ｂが接合され、一体化されると、図６（接合状態のベース４１ａ，４１ｂの斜視図）に示すように下側サポート部２３が構成されるとともに、その上方にセンター部２４（図３参照）の下半部２４ａが構成される。センター部２４の下半部２４ａにおいては、小突条２７が左右側方へそれぞれ突出した状態となり、それらの上方に、図３に示す大突条２５を構成する基盤固定部４９が形成される。基盤固定部４９は、周囲に側壁５０が立設され、その内側にＬＥＤ基盤４２（図５参照）が配置される。
【００２５】
ＬＥＤ基盤４２は、図５に示すように、中央にＬＥＤ５２が搭載されており、給電ケーブル５３の一端側が接続される。尚、図５に示すように、ベース４１ａ，４１ｂの内部には、給電ケーブル５３を挿通させる孔（挿通孔５１）が形成されており、基盤固定部４９（側壁５０の内側）の底面には、挿通孔５１の開口部５１ａが形成されている。一端側がＬＥＤ基盤４２に接続された給電ケーブル５３は、挿通孔５１内を通ってベース４１ａ，４１ｂの外側まで延在し、他端側がケーブルコネクタ４５ａ，４５ｂにそれぞれ接続される。
【００２６】
基盤固定部４９の上には、透明な合成樹脂によって形成された上部カバー４３が被せられる。上部カバー４３は、図３に示す大突条２５を構成するカバー部４３ａと、その左右方向の中央において上方に立設された中央立設部４３ｂ（図３に示すセンター部２４を構成する部分）と、中央立設部４３ｂの前後方向の中央に形成された発光部４３ｃとによって構成されている。カバー部４３ａは、基盤固定部４９の側壁５０の外側及び上方を覆うように装着され、これにより、ＬＥＤ基盤４２が配置されている基盤固定部４９の側壁５０内の空間内への雨水や塵埃等の浸入が回避される。
【００２７】
中央立設部４３ｂの上部（発光部４３ｃに隣接する位置）には、長手方向に沿って係合突条５４が形成されており、これらの係合突条５４には、遮光カバー４４ａ，４４ｂがそれぞれ装着される。遮光カバー４４ａ，４４ｂは、不透明な合成樹脂によって形成されており、ＬＥＤ５２を光源とする光の照射を、発光部４３ｃのみに限定するためのものである。
【００２８】
遮光カバー４４ａ，４４ｂは、図３に示す小突条２６を構成する平板状の部分と、その外側端部から下方へ向かって延在する目地サイドカバー５５を有しているほか、平板状部分の下側面に、係合突条５４の輪郭形状に対応した形状の蟻溝５６が形成されている。遮光カバー４４ａ，４４ｂは、上部カバー４３の係合突条５４を、遮光カバー４４ａ，４４ｂの蟻溝５６内に進入させるようにして、遮光カバー４４ａ，４４ｂの内側の端部が上部カバー４３の発光部４３ｃに当接するまでスライドさせることにより、上部カバー４３に装着される。
【００２９】
図１に示すように、隣接するデッキ材１１の間に連結材２１を配置し、図５に示す各連結材２１のケーブルコネクタ４５ａ，４５ｂを直列的に接続するとともに、電源に接続すると、連結材２１内においてＬＥＤ５２が発光する。上部カバー４３は透明な合成樹脂によって形成されているため、ＬＥＤ５２の光を透過し、遮光カバー４４ａ，４４ｂによって遮光されていない発光部４３ｃからデッキ構成面の上方へ光が照射され、デッキ構成面の光の演出（照明）を行うことができる。
【００３０】
尚、連結材２１は、隣り合う根太材２０，２０（図１参照）の間のいずれの位置においても自由に配置することができる。従って、夜間照明、歩行者の案内或いは誘導、又は、装飾等の目的に応じて、様々なデザインのデッキ面照明を構成することができる。例えば、デッキ面上に仮想同心円を投影した場合において、それらの同心円とデッキ材１１の目地（図１に示す、隣接するデッキ材１１，１１間の隙間１５）との交差位置に連結材２１を配置して照明を行うことにより、デッキ面上に同心円の図形を表出させたり、直線、ジグザグ模様、ダイヤモンド図形、アルファベット、数字、その他の文字等を表出させることができる。
【００３１】
しかも、従来方法のようにデッキ構成面に挿入孔を形成する必要がなく、デッキ材１１の側縁１２の間に挟持させるだけで固定することができるため、極めて簡単に照明具を設置することができるほか、一旦設置した後においても、デッキ目地内において簡単に位置変更を行うことができる。
【００３２】
また、発光部４３ｃは、図４に示すように、デッキ材１１ａ，１１ｂの間に装着された際、上面がデッキ構成面の上方へ突出しない寸法となっている。従来方法（デッキ材に挿入孔を形成し、この挿入孔に、取付具を介して照明具を挿入し、固定するという方法）による場合、取付具の枠或いは上面カバーが、デッキ構成面の上方へわずかに突出していることが多く、このため、歩行者が躓いたり、引っ掛かって、歩行者の障害となっていたところ、本実施形態においては、上述の通り、発光部４３ｃがデッキ構成面の上方へ突出しない構成となっているため、歩行者の障害になったり、或いは、移動中の物体或いは落下物の衝突等に起因する破損といった問題も、好適に回避することができる。
【００３３】
また、従来方法による場合、デッキ材に挿入孔が形成されることにより、デッキ材自体の強度が低下し、デッキ材の撓み、割れ、折損等が発生する可能性があるが、本実施形態のデッキ構造体１においては、照明具（連結材２１）は隣接するデッキ材１１間に装着されるため、デッキ材１１に挿入孔を形成する必要がない。このため、本実施形態のデッキ構造体１においては、デッキ材１１における強度低下という問題が生じないばかりか、反対に、デッキ材１１の強度を向上させることができるという利点を有している。具体的には、隣接するデッキ材１１の側縁１２同士が、隣り合う二つの根太材２０，２０の間の位置において連結材２１によって連結されているため、一つのデッキ材１１或いは隣接する二つのデッキ材１１の目地部（連結部）に荷重が集中的に掛かった場合でも、一つのデッキ材１１だけが沈み込んだり、或いは、隣接するデッキ材１１同士が相対的に傾斜しない状態が維持され、一つのデッキ材１１或いは目地部に掛かった荷重が、隣接するデッキ材１１へ効果的に伝達、分散されることになり、その結果、従来のものと比べ、集中荷重や衝撃荷重に対する強度（耐荷重強度）の飛躍的な向上が期待できる。
【００３４】
この点について具体的に説明すると、例えば、図４に示す二つのデッキ材１１ａ，１１ｂのうち、左側のデッキ材１１ａに集中的に荷重が掛かった場合、各デッキ材１１ａ，１１ｂの大溝１３、小溝１４ａ，１４ｂ（図３参照）内に、連結材２１の大突条２５、及び、小突条２６，２７（図３参照）が進入し、嵌合しているため、また、連結材２１の左右のサポート２９ａ，２９ｂの各当接面２８（図３参照）がそれぞれデッキ材１１ａ，１１ｂの下面に密着するような構成となっているため、左側のデッキ材１１ａの下方への変位（上下方向へのずれ）が許容されず、左側のデッキ材１１ａに掛かった荷重が、右側のデッキ材１１ｂへ効果的に伝達、分散されることになる。
【００３５】
また、左側のデッキ材１１ａに集中的に荷重が掛かった場合において、右側のデッキ材１１ｂが左下がりの傾斜状態となると、つまり、右側のデッキ材１１ｂにおける左側の側縁１２ｂが右側の側縁１２ｂ’を基点として下方へ回動することによって、水平な左側のデッキ材１１ａと左下がりの右側のデッキ材１１ｂとの目地部が谷状に屈曲することが許容されると、左側のデッキ材１１ａが、右側のデッキ材１１ｂの左側の側縁１２ｂとともに下方へ変位してしまうことになるが、本実施形態においては、上述の通り、連結材２１の小突条２６（デッキ材１１の厚さ方向の中間位置よりも上方の小突条）の先端が、デッキ材１１の小溝１４ａ（デッキ材１１の厚さ方向の中間位置よりも上方の小溝）の奥まで突き当たるように構成されているため、左右のデッキ材１１ａ，１１ｂの側縁１２ａ，１２ｂの上部（デッキ材１１の厚さ方向の中間位置よりも上方の部分）同士の間隔を、図４に示す状態よりも狭めることができず、このため、左側のデッキ材１１ａに集中的に荷重が掛かった場合でも、右側のデッキ材１１ｂが左下がりの傾斜状態となることが回避され、その結果、左側のデッキ材１１ａ（及び、右側のデッキ材１１ｂの左側の側縁１２ｂ）の下方への変位が許容されず、左側のデッキ材１１ａに掛かった荷重が、右側のデッキ材１１ｂへ効果的に伝達、分散されることになる。
【００３６】
また、左側のデッキ材１１ａに集中的に荷重が掛かった場合において、左側のデッキ材１１ａが左下がりの傾斜状態となると、つまり、左側のデッキ材１１ａにおける左側の側縁１２ａ’が右側の側縁１２ａを基点として下方へ回動することによって、水平な右側のデッキ材１１ｂと左下がりの左側のデッキ材１１ａとの目地部が山状に屈曲することが許容されると、左側のデッキ材１１ａの左側の側縁１２ａ’が、更にその左側に位置するデッキ材（図示せず）とともに下方へ変位してしまうことになるが、本実施形態においては、上述の通り、連結材２１の小突条２７（デッキ材１１の厚さ方向の中間位置よりも下方の小突条）の先端が、デッキ材１１の小溝１４ｂ（デッキ材１１の厚さ方向の中間位置よりも下方の小溝）の奥まで突き当たるように構成されているため、左右のデッキ材１１ａ，１１ｂの側縁１２ａ，１２ｂの下部（デッキ材１１の厚さ方向の中間位置よりも下方の部分）同士の間隔を、図４に示す状態よりも狭めることができず、このため、左側のデッキ材１１ａに集中的に荷重が掛かった場合でも、左側のデッキ材１１ａが左下がりの傾斜状態となることが回避され、その結果、左側のデッキ材１１ａの左側の側縁１２ａ’（及び、更にその左側の図示しないデッキ材）の下方への変位が許容されず、左側のデッキ材１１ａに掛かった荷重が、右側のデッキ材１１ｂへ効果的に伝達、分散されることになる。
【００３７】
更に、左右のデッキ材１１ａ，１１ｂの目地部（連結材２１が装着されている部位）に集中的に荷重が掛かった場合において、左右のデッキ材１１ａ，１１ｂがＶ字状（谷状）に屈曲することが許容されると、目地部が下方へ変位してしまうことになるが、上述の通り、連結材２１の小突条２６の先端が、デッキ材１１の小溝１４ａの奥まで突き当たるように構成されているため（図３参照）、左右のデッキ材１１ａ，１１ｂの側縁１２ａ，１２ｂの上部同士の間隔を狭めることができず、このため、左右のデッキ材１１がＶ字状に屈曲してしまうことが回避され、その結果、目地部の下方への変位が許容されず、荷重が周囲へ効果的に伝達、分散されることになる。
【００３８】
このように本実施形態においては、一つのデッキ材１１或いは目地部に荷重が集中的に掛かった場合でも、それらの荷重が好適に伝達され、周囲へ分散されることになり、その結果、集中荷重や衝撃荷重に対する強度を、従来技術と比べ極めて効果的に向上させることができる。
【００３９】
図７は、根太材（図示せず）の上に所定幅の隙間１５を空けて並列配置した従来のデッキ材８１，８２の、根太材の中間位置における断面図であり、荷重が掛かっていない場合と、中央のデッキ材８１，８２に一定の荷重が掛かった場合の変形態様の例を示す図である。より詳細には、図７（１）は、側縁に溝が形成されていない従来のデッキ材８１において、荷重が掛かっていない状態を示す図、図７（２）は、従来のデッキ材８１において、中央のデッキ材８１に荷重が掛かった状態を示す図、図７（３）は、連結材９１（比較例）によって側縁同士が連結された従来のデッキ材８１のうち、中央のデッキ材８１に荷重が掛かった状態を示す図、図７（４）は、連結材９２（比較例）によって側縁同士が連結された従来のデッキ材８２のうち、中央のデッキ材８２に荷重が掛かった状態を示す図である。
【００４０】
また、図８は、本実施形態のデッキ構造体１において使用される連結材２１によって側縁同士が連結されたデッキ材１１の、根太材の中間位置における断面図であり、中央のデッキ材１１に、同様の荷重が掛かった場合の変形態様の例を示す図である。
【００４１】
図７（１）に示すように、従来のデッキ材８１を、隙間１５を空けた状態で、側縁同士を連結せずに配置した場合、根太材の中間位置において所定の荷重が掛かると、例えば、図７（２）に示す程度に、荷重の掛かった中央のデッキ材８１だけが下方へたわむことになる。
【００４２】
また、図７（３）に示すように、従来のデッキ材８１を、連結材９１（比較例）（本実施形態における連結材２１の挟持部２２のセンター部２４、及び、下側サポート部２３に相当する部分を有しているが、挟持部２２に相当する部分が、大突条２５及び小突条２６，２７に相当する部分を有しておらず、挟持部２２のセンター部２４に相当する部分の高さ寸法が、デッキ材８１の厚さ寸法と同等或いは約半分に設定されている）によって連結した場合において、中央のデッキ材８１に、図７（２）の例と同じ大きさの荷重が掛かった場合、隣接するデッキ材８１との連結が不完全なため、荷重がうまく伝達されず、たわみ量（標準位置Ｂからの沈み込み量）は図７（２）の場合と殆ど同じで、また、図７（２）の場合と同様に、デッキ材８１側面のずれが生じて中央のデッキ材８１だけが下方へたわむことになる。
【００４３】
図７（４）に示すように、従来のデッキ材８２を、連結材９２（比較例）（本実施形態における連結材２１の挟持部２２、及び、下側サポート部２３に相当する部分を有するとともに、大突条２５に相当する部分を有しているが、小突条２６，２７に相当する部分を有しておらず、挟持部２２のセンター部２４に相当する部分の高さ寸法が、デッキ材８２の厚さ寸法の約２／３に設定されている）によって連結した場合において、中央のデッキ材８２に、図７（２）の例と同じ大きさの荷重が掛かった場合、隣接するデッキ材８２に、荷重がある程度伝達されることになるが、隣接するデッキ材８２の傾斜が許容される結果、たわみ量は図７（３）の場合と殆ど変わらず、依然としてたわみが発生することになり、たわみが大きくなると、デッキ材８２の側面又は連結材９２が破損することになる。
【００４４】
これらの例に対し、本実施形態のデッキ構造体１においては、図８に示すように、中央のデッキ材１１に、図７（２）の例と同じ大きさの荷重が掛かった場合、隣接するデッキ材１１の傾斜及びずれが抑制され、荷重が周囲へ伝達、分散されることになる。従って、集中荷重や衝撃荷重に対する強度が向上し、荷重が集中的に掛かったデッキ材１１の沈み込み（たわみの発生）を可及的に抑えることができる。
【００４５】
図９は、根太材（図示せず）の上に所定幅の隙間１５を空けて並列配置した従来のデッキ材８１，８２の、根太材の中間位置における断面図であり、荷重が掛かっていない場合と、デッキ材８１，８２の目地部に一定の荷重が掛かった場合の変形態様の例を示す図である。より詳細には、図９（１）は、側縁に溝が形成されていない従来のデッキ材８１において、荷重が掛かっていない状態を示す図、図９（２）は、従来のデッキ材８１において、デッキ材８１の目地部に荷重が掛かった状態を示す図、図９（３）は、連結材９１（比較例）によって側縁同士が連結された従来のデッキ材８１の目地部に荷重が掛かった状態を示す図、図９（４）は、連結材９２（比較例）によって側縁同士が連結された従来のデッキ材８２の目地部に荷重が掛かった状態を示す図である。
【００４６】
また、図１０は、本実施形態のデッキ構造体１において使用される連結材２１によって側縁同士が連結されたデッキ材１１の、根太材の中間位置における断面図であり、デッキ材１１の目地部に、同様の荷重が掛かった場合の変形態様の例を示す図である。
【００４７】
図９（１）に示すように、従来のデッキ材８１を、隙間１５を空けた状態で、側縁同士を連結せずに配置した場合、デッキ材８１の目地部に所定の荷重が掛かると、図９（２）に示すように、目地部の両側のデッキ材８１が全体的にたわんで大きく沈み込み、かつ、荷重が掛かった目地部が最も深く沈み込んで、当該目地部両側のデッキ材８１がいずれも谷状に傾斜した状態となる。
【００４８】
また、図９（３）に示すように、従来のデッキ材８１を、連結材９１（比較例）（本実施形態における連結材２１の挟持部２２、及び、下側サポート部２３に相当する部分を有しているが、挟持部２２に相当する部分が、大突条２５及び小突条２６，２７に相当する部分を有しておらず、挟持部２２のセンター部２４に相当する部分の高さ寸法が、デッキ材８１の厚さ寸法の約半分に設定されている）によって連結した場合において、デッキ材８１の目地部に、図９（２）の例と同じ大きさの荷重が掛かった場合、隣接するデッキ材８１との連結が不完全なため、荷重が伝達されず、図９（２）の場合と比べると、たわみ量（標準位置Ｂからの沈み込み量）は小さくなるものの、図９（２）の場合と同様に、目地部の両側のデッキ材８１が全体的にたわんで沈み込み、かつ、荷重が掛かった目地部が最も深く沈み込んで、当該目地部両側のデッキ材８１がいずれも谷状に傾斜した状態となる。
【００４９】
図９（４）に示すように、従来のデッキ材８２を、連結材９２（比較例）（本実施形態における連結材２１の挟持部２２、及び、下側サポート部２３に相当する部分を有するとともに、大突条２５に相当する部分を有しているが、小突条２６，２７に相当する部分を有しておらず、挟持部２２のセンター部２４に相当する部分の高さ寸法が、デッキ材８２の厚さ寸法の約２／３に設定されている）によって連結した場合において、デッキ材８２の目地部に、図９（２）の例と同じ大きさの荷重が掛かった場合、隣接するデッキ材８２に荷重がある程度伝達されることになるが、当該目地部の両側のデッキ材８２の傾斜が許容される結果、図９（３）の場合と比べて、たわみ量は小さくなるものの、依然としてたわみが発生することになる。
【００５０】
これらの例に対し、本実施形態のデッキ構造体１においては、図１０に示すように、デッキ材１１の目地部に、図９（２）の例と同じ大きさの荷重が掛かった場合、目地部の両側のデッキ材１１の傾斜及びずれが抑制され、荷重が周囲へ伝達、分散されることになる。従って、集中荷重や衝撃荷重に対する強度が向上し、荷重が集中的に掛かったデッキ材１１の沈み込み（たわみの発生）を可及的に抑えることができる。
【００５１】
尚、本実施形態のデッキ構造体１においては、図３に示すように、デッキ材１１として、各側縁１２に、一つの大溝１３、及び、二つの小溝１４ａ，１４ｂが形成されているものが用いられ、連結材２１として、センター部２４に大突条２５、及び、小突条２６，２７が形成されているものが用いられているが、必ずしも図３に示すような構成のものには限定されず、例えば、連結材２１の挟持部２２における突条は、必ずしも片側に３条ずつ形成されていなくともよく、図１１に示すように、突条（大突条２５）が片側に１条のみ形成されている連結材２１を使用することもできる。また、デッキ材１１についても、各側縁１２に溝（大溝１３）が１条のみ形成されているものを使用することもできる。
【００５２】
但しこの場合、連結材２１の左右両側のデッキ材１１の側縁１２の上部（大溝溝１３よりも上方の部分）同士の間隔、或いは、下部（大溝１３よりも下方の部分）同士の間隔が、それらの間に介在する連結材２１のセンター部２４が突っ張ることにより、余計な荷重が掛かっていない状態においても、また、集中的な荷重が掛かった場合においても、それ以上殆ど縮小されない、という作用を奏するように、連結材２１のセンター部２４の大きさ及び形状が設定されている必要がある。例えば、連結材２１の左右両側のデッキ材１１の側縁１２同士の間隔は、３〜１０ｍｍに設定されることが好適であるところ、センター部２４の左右の厚さ寸法はそれらの間隔寸法と一致していることが好ましい。尚、デッキ材１１の上下の厚さ寸法は２０〜５０ｍｍ、大溝１３の高さ寸法は３〜３８ｍｍ、大溝１３の奥行き寸法は、５〜１５ｍｍが好適である。
【００５３】
更に、挟持部２２における突条が片側に２条ずつ形成されている連結材２１を使用することもでき、また、デッキ材１１についても、各側縁１２に溝が２条ずつ形成されているものを使用することもできる。
【００５４】
但しこの場合、デッキ材１１の溝は、デッキ材１１の厚さ寸法の中間位置を基準として、その上方及び下方に一つずつ形成する必要があり、連結材２１の突条は、連結材２１の装着時において、それらの溝内にそれぞれ進入、嵌合するように構成することが好ましい。また、デッキ材１１の厚さ寸法の中間位置よりも上方に形成されている溝に嵌合する突条が、溝の奥まで突き当たるような大きさ及び形状とすることが好ましく、更に、デッキ材１１の厚さ寸法の中間位置よりも下方に形成されている溝に嵌合する突条についても、溝の奥まで突き当たるような大きさ及び形状とすることが好ましい。
【００５５】
尚、ここに言う「奥まで突き当たるような大きさ及び形状とする」とは、連結材２１の左右両側のデッキ材１１の側縁１２の上部の溝（側縁１２の上部）同士の間隔、或いは、下方の溝（側縁１２の下部）同士の間隔が、それらの内側に嵌合した突条が突っ張ることにより、余計な荷重が掛かっていない状態においても、また、集中的な荷重が掛かった場合においても、それ以上殆ど縮小されない、という作用を奏するような大きさ及び形状とする、という意味である。
【符号の説明】
【００５６】
１：デッキ構造体、
１１，１１ａ，１１ｂ：デッキ材、
１２，１２ａ，１２ｂ：側縁、
１３：大溝、
１４ａ，１４ｂ：小溝、
１５：隙間、
２０：根太材、
２１：連結材、
２２：挟持部、
２３：下側サポート部、
２４：センター部、
２４ａ：下半部、
２５：大突条、
２６，２７：小突条、
２８：当接面、
２９ａ，２９ｂ：サポート、
４１ａ，４１ｂ：ベース、
４２：ＬＥＤ基盤、
４３：上部カバー、
４３ａ：カバー部、
４３ｂ：中央立設部、
４３ｃ：発光部、
４４ａ，４４ｂ：遮光カバー、
４５ａ，４５ｂ：ケーブルコネクタ、
４６ａ，４６ｂ：垂直接合面、
４７：接合用突起、
４８：接合用孔、
４９：基盤固定部、
５０：側壁、
５１：挿通孔、
５１ａ：開口部、
５２：ＬＥＤ、
５３：給電ケーブル、
５４：係合突条、
５５：目地サイドカバー、
５６：蟻溝、
５７：目地サイド、
８１，８２：デッキ材、
９１，９２：連結材、
Ｂ：標準位置
【図１】
2016014279.tif 000003
【図２】
2016014279.tif 000004
【図３】
2016014279.tif 000005
【図４】
2016014279.tif 000006
【図５】
2016014279.tif 000007
【図６】
2016014279.tif 000008
【図７】
2016014279.tif 000009
【図８】
2016014279.tif 000010
【図９】
2016014279.tif 000011
【図１０】
2016014279.tif 000012
【図１１】
2016014279.tif 000013